(57)【要約】
【課題】　テレビジョン信号が入力されるコネクタへ電源電圧を供給すると共に、コネクタへの外部からの過電圧印加に対して内部の回路素子が破壊しないようにする。
【解決手段】　テレビジョン信号が入力されるコネクタ２と、テレビジョン信号を周波数変換して中間周波信号を出力する高周波回路５と、高周波回路５に電源電圧を供給する電源端子１０とを備え、コネクタ２と電源端子１０との間に電源電圧をコネクタに供給するための電源スイッチ回路１２を設けて電源スイッチ回路をオン又はオフ出来るようにすることで、コネクタに接続される外部回路に電源電圧のを供給し、また、電源の供給停止時にはコネクタへの外部からの過電圧印加に対して内部の半導体素子等の破壊を防止できるようにした。
【選択図】　　　　図１
0003100018.tif 000002
【実用新案登録請求の範囲】
【請求項１】
テレビジョン信号が入力されるコネクタと、前記テレビジョン信号を周波数変換して中間周波信号を出力する高周波回路と、前記高周波回路に電源電圧を供給する電源端子とを備え、前記コネクタと前記電源端子との間に前記電源電圧を前記コネクタに供給するための電源スイッチ回路を設けたことを特徴とするテレビジョンチューナ。
【請求項２】
前記コネクタと前記電源スイッチ回路との間に給電抵抗を直列に介挿したことを特徴とする請求項１に記載のテレビジョンチューナ。
【請求項３】
前記コネクタと前記給電抵抗との間にインダクタンス素子を介挿し、前記抵抗の両端をそれぞれ高周波的に接地したことを特徴とする請求項２に記載のテレビジョンチューナ。
【請求項４】
前記電源スイッチ回路はエミッタが前記電源端子に接続され、コレクタが前記給電抵抗に接続されたトランジスタを有し、前記トランジスタのベースに接続されると共に外部から切替電圧を印加できる切替端子を設け、前記切替電圧によって前記トランジスタをオン／オフ制御するようにしたことを特徴とする請求項２又は３に記載のテレビジョンチューナ。
【請求項５】
前記高周波回路は周波数変換のための混合器と前記中間周波信号を増幅するための中間周波増幅器とを内部に構成した集積回路を有し、前記集積回路には前記トランジスタのベースの電圧をハイ又はローに切り替えるスイッチ手段を設けたことを特徴とする請求項４に記載のテレビジョンチューナ。
【考案の詳細な説明】
【技術分野】
【０００１】
　本考案は、例えば、テレビジョン信号が入力されるコネクタに接続された外部回路に対して電源を供給できるようにしたテレビジョンチューナに関する。
【背景技術】
【０００２】
　図２は入力端子に接続されたコンバータに電源を供給する衛星放送受信機を示す。コンバータ２２はアンテナ２１で受信された１２ＧＨｚ帯の信号を１ＧＨｚ帯のＩＦ信号に変換して同軸ケーブル２３によりＢＳチューナ４のＩＦ入力端子２５に供給される。供給されたＩＦ信号はコンデンサＣを介して周波数変換回路２６に供給され、中間周波数帯の信号に変換される。周波数変換回路２６の出力信号はＡＧＣ回路２７に供給される。
【０００３】
　ＡＧＣ回路２７の出力信号は、ＦＭ復調回路２８に供給され、ＦＭ復調されて拡散信号が付加された映像信号と、４相ＤＰＳＫされた音声副搬送波が得られる。ＦＭ復調回路２８のＦＭ復調映像信号は、映像信号処理回路２９に供給され、プリエンファシスされた映像信号をもとの波形に戻すディエンファシス回路、エネルギー拡散信号除去回路及び映像増幅回路により映像出力信号を取り出して映像信号出力端子３０に供給している。
【０００４】
　また、４相ＤＰＳＫされた音声副搬送波は、音声処理回路３１に供給され、復調してＰＣＭ信号を得る４相ＤＰＳＫ復調回路及びＰＣＭ信号を復調してデジタルから音声信号を取り出すＰＣＭ復調回路により、２チャンネルの音声出力信号を取り出し音声信号出力端子３２及び３３に供給している。
【０００５】
　なお、コンバータ２２は、微弱な信号を取り扱うので、ハム変調の影響を少なくし、さらに筺体を小型、軽量化するために、その動作電源はＢＳチューナ２４から供給している。コンバータ用電源回路３４で作られた直流電源電圧（１５Ｖ）は高周波成分を阻止するインダクタンスＬを介してＩＦ入力端子２５に重畳されており、同軸ケーブル２３を介してコンバータ２２に送られている（例えば、特許文献１参照。）。
【０００６】
【特許文献１】特公平０６−０２８８６６（第２頁、図２）
【考案の開示】
【考案が解決しようとする課題】
【０００７】
　従来の構成では、コンバータ用電源回路３４の電圧はインダクタンスＬのみを介してＩＦ入力端子５に供給されてるだけであるので、外部からＩＦ入力端子２５に過電圧が印加されると、印加された電圧は低下せずにコンバータ用電源回路３４に印加されて、内部に設けられている半導体素子が破戒される危険がある。また、コンバータ用電源回路３４はＢＳチューナ２４へ供給されている電源電圧に接続されているので、この電源を通して周波数変換回路２６以下の各回路に使用されている半導体素子をも破戒するおそれがある。さらに、ＩＦ入力端子２５には直流電圧が常時出力されているので、ＢＳチューナ２４の製造及び検査の工程でＩＦ入力端子２５に接続される測定器を保護する目的から、容量手段によって直流的に絶縁するジグを測定器とＩＦ入力端子２５との間に設けなければならないので、その作業が煩雑になる。さらに、ジグの使用によって高周波特性が変化して正確な測定が出来ないと言う問題も起きる。
【０００８】
　本考案は、テレビジョン信号が入力されるコネクタへ電源電圧を供給すると共に、コネクタへの外部からの過電圧印加に対して内部の回路素子が破壊しないようにすることを目的とする。
【課題を解決するための手段】
【０００９】
　上記課題を解決する手段として、テレビジョン信号が入力されるコネクタと、前記テレビジョン信号を周波数変換して中間周波信号を出力する高周波回路と、前記高周波回路に電源電圧を供給する電源端子とを備え、前記コネクタと前記電源端子との間に前記電源電圧を前記コネクタに供給するための電源スイッチ回路を設けた。
【００１０】
　また、前記コネクタと前記電源スイッチ回路との間に給電抵抗を直列に介挿した。
【００１１】
　また、前記コネクタと前記給電抵抗との間にインダクタンス素子を介挿し、前記抵抗の両端をそれぞれ高周波的に接地した。
【００１２】
　また、前記電源スイッチ回路はエミッタが前記電源端子に接続され、コレクタが前記給電抵抗に接続されたトランジスタを有し、前記トランジスタのベースに接続されると共に外部から切替電圧を印加できる切替端子を設け、前記切替電圧によって前記トランジスタをオン／オフ制御するようにした。
【００１３】
　また、前記高周波回路は周波数変換のための混合器と前記中間周波信号を増幅するための中間周波増幅器とを内部に構成した集積回路を有し、前記集積回路には前記トランジスタのベースの電圧をハイ又はローに切り替えるスイッチ手段を設けた。
【考案の効果】
【００１４】
　本考案では、テレビジョン信号が入力されるコネクタと、テレビジョン信号を周波数変換して中間周波信号を出力する高周波回路と、高周波回路に電源電圧を供給する電源端子とを備え、コネクタと電源端子との間に電源電圧をコネクタに供給するための電源スイッチ回路を設けたので、コネクタに接続される外部回路に電源電圧を供給でき、また、テレビジョンチューナの検査時には電源の供給停止することでコネクタへの外部からの過電圧印加に対して内部の半導体素子等の破壊を防止できる。
【００１５】
　また、コネクタと電源スイッチ回路との間に給電抵抗を直列に介挿したので、コネクタへの電源供給時にもコネクタへの過電圧印加に対して電源スイッチ回路や高周波回路の半導体素子の破壊を防止できる。
【００１６】
　また、コネクタと給電抵抗との間にインダクタンス素子を介挿し、抵抗の両端をそれぞれ高周波的に接地したので、過電圧の印加時の急激な電圧変化を減衰して保護できる。
【００１７】
　また、電源スイッチ回路はエミッタが電源端子に接続され、コレクタが給電抵抗に接続されたトランジスタを有し、トランジスタのベースに接続されると共に外部から切替電圧を印加できる切替端子を設け、切替電圧によってトランジスタをオン／オフ制御するようにしたので、テレビジョンチューナの検査時等に検査用ジグからトランジスタをオフにすることで電源スイッチ回路等を保護できる。
【００１８】
　また、高周波回路は周波数変換のための混合器と中間周波信号を増幅するための中間周波増幅器とを内部に構成した集積回路を有し、集積回路にはトランジスタのベースの電圧をハイ又はローに切り替えるスイッチ手段を設けたので、テレビジョンチューナの使用時にはコネクタに電源電圧を供給するようにセットできる。
【考案を実施するための最良の形態】
【００１９】
　図１は本考案のテレビジョンチューナの構成を示す。テレビジョンチューナ１にはテレビジョン信号が入力されるコネクタ２が取り付けられている。通常はコネクタ２にアンテナ３が接続されるが、受信信号の電界強度が弱い時には図示のようにブースタ等の外部回路４が接続され、外部回路４にアンテナ３が接続される。そして、外部回路４によって増幅されたテレビジョン信号がコネクタ２に入力される。
【００２０】
　コネクタ２にはテレビジョン信号を中間周波信号に変換するための高周波回路５が結合される。高周波回路５は入力同調回路６、高周波増幅器７、段間同調回路８、混合器９ａや中間周波増幅器９ｂ、発振器（図示せず）等が構成された集積回路９等を有する。そして、入力同調回路６及び段間同調回路８によって選択され、高周波増幅器７によって増幅されたテレビジョン信号が混合器９ａに入力される。混合器９ａには発振器から局部発振信号が供給されており、入力されたテレビジョン信号は中間周波信号に変換される。中間周波信号は図示しない中間周波同調回路を経て中間周波増幅器９ｂに供給される。また、テレビジョンチューナ１には電源端子１０が設けられ、ここに印加された電源電圧が高周波回路５内の各回路に供給される。
【００２１】
　一方、コネクタ２には一端がグランドから直流的に絶縁されると共に高周波的に接地されたインダクタンス素子１１が接続される。これによってコネクタ２に誘導雷等の周波数の低い交流成分を含む衝撃波が印加された場合にこれをバイパスして高周波回路５を保護している。
【００２２】
　また、テレビジョンチューナ１内にはコネクタ２に電源電圧を供給する電源スイッチ回路１２が設けられている。電源スイッチ回路１２はＰＮＰ型のトランジスタ１２ａを有し、そのエミッタは電源端子１０に接続され、コレクタは給電抵抗１３を介してインダクタンス素子１１の一端に接続される。そして、給電抵抗１３の両端はそれぞれ高周波接地用の容量素子１４、１５によってグランドに接続される。テレビジョンチューナ１には外部から切替電圧が印加される切替端子１６が設けられ、トランジスタ１２ａのベースは切替端子１６に接続される。
【００２３】
　また、集積回路９にはスイッチトランジスタで構成されるスイッチ手段９ｃも構成される。スイッチ手段９ｃは、テレビジョンチューナ１に供給される制御信号によってハイ又はローの電圧を発生し、これをトランジスタ１２ａのベースに印加する。
【００２４】
　以上の構成において、電源スイッチ回路１２のトランジスタ１２ａは外部から切替端子１６にローの電圧を印加するか又は集積回路９内のスイッチ手段９ｃからローの電圧を出力すればオンとなり、電源スイッチ回路１２からコネクタ２に電源電圧が供給される。また、トランジスタ１２はハイの電圧によってオフとなり、コネクタ２への電圧供給が停止される。
【００２５】
　よって、テレビジョンチューナ１の検査時においては、図示しない測定ジグにテレビジョンチューナ１をセットして測定ジグからの切替電圧を切替端子１６に印加してトランジスタ１２ａをオフにすればコネクタ２へは電源電圧が供給されず、誤ってコネクタ２に高電圧が印加されても電源スイッチ回路１２や高周波回路５内の半導体素子が破壊されることはない。そして、検査が終了すれば、スイッチ手段９ｃによって、トランジスタ１２ａをオンとすれば、コネクタ２へ電源電圧が供給できる。
【００２６】
　そして、コネクタ２へ電源電圧が供給されている状態で、コネクタ２に外部から望ましくない高い電圧が印加された場合、印加された瞬間はインダクタンス素子１１、容量素子１４、１５によって減衰し、その後は給電抵抗１３によってトランジスタ１２ａに加わる電圧が減衰するのでトランジスタ１２のみならず高周波回路５内の半導体素子が保護されて破壊されることはない。
【図面の簡単な説明】
【００２７】
【図１】本考案のテレビジョンチューナの構成を示す回路図である。
【図２】従来のテレビジョンチューナの構成を示す回路図である。
【符号の説明】
【００２８】
　１：テレビジョンチューナ
　２：コネクタ
　３：アンテナ
　４：外部回路
　５：高周波回路
　６：入力同調回路
　７：高周波増幅器
　８：段間同調回路
　９：集積回路
　９ａ：混合器
　９ｂ：中間周波増幅器
　９ｃ：スイッチ手段
　１０：電源端子
　１１：インダクタンス素子
　１２：電源スイッチ回路
　１２ａ：トランジスタ
　１３：給電抵抗
　１４、１５：容量素子
　１６：切替端子
【図１】
0003100018.tif 000003
【図２】
0003100018.tif 000004